(57)【要約】【課題】遊技者の興味を引く興趣性に優れた遊技機の提供を目的とする。【解決手段】このパチンコ機は、遊技球Ｂが転動可能である複数個の転動面としての第１，第２ステージ２９，３０を備え、第１ステージ２９は、導入された遊技球Ｂの流下経路を選択する選択手段（第１，第２開口部３７，３８）を、第２ステージ３０は、第１ステージ２９から導出された遊技球Ｂの流下経路を選択する選択手段（凹部５１，案内溝５４）を備えているので、遊技球Ｂは複数種類の流下経路のいずれかを選択し得る。したがって、遊技者は、第１，第２ステージ２９，３０により複数種類の流下経路のいずれか１つが選択されて流下されるという遊技球Ｂの挙動を視認でき、楽しむことができる。その結果、興趣性を向上させた遊技機を提供できる。【選択図】      図３
2004160145.tif 000002
【特許請求の範囲】
【請求項１】
遊技球が転動可能である転動面を備えた遊技機において、
前記転動面は複数個設けられており、かつ、前記複数個の転動面のうちの少なくとも一つの転動面は、導入された遊技球の流下経路を選択する選択手段を有することを特徴とする遊技機。
【請求項２】
請求項１に記載の遊技機において、
前記複数個の転動面は、上下方向に並設されており、さらに、導入された遊技球の流下経路を選択する選択手段を有する第１転動面と、前記第１転動面から遊技球が導かれるとともに、前記第１転動面から導かれてきた遊技球の流下経路を選択する選択手段を有する第２転動面とを含むものである
ことを特徴とする遊技機。
【請求項３】
請求項２に記載の遊技機において、
前記選択手段は、遊技球が流入可能な開口部を前記選択領域に複数個備えたものである
ことを特徴とする遊技機。
【請求項４】
請求項３に記載の遊技機において、
前記複数個の開口部の中には、遊技者にとって有利である開口部としての第１開口部と、それよりも利益の劣る開口部としての第２開口部とを備えている
ことを特徴とする遊技機。
【請求項５】
請求項４に記載の遊技機において、
前記第１開口部は、その周囲の一部に遊技球の流入を阻止する突起部が設けられていることを特徴とする遊技機。
【請求項６】
請求項２から５のいずれかに記載の遊技機において、
前記第２転動面の前記選択手段は、遊技球の流下経路を決定する溝部を備えていることを特徴とする遊技機。
【請求項７】
請求項６に記載の遊技機において、
前記第２転動面の前記溝部は、前記第１転動面の前記第１開口部の真下位置に設けられ、
前記第１転動面の前記第１開口部は、この第１開口部に流入した遊技球を前記第２転動面の奥方向に送出するための案内部材が設けられ、
前記第２転動面は、前記溝部の奥側端部に奥方向に窪む窪み部を備えている
ことを特徴とする遊技機。
【発明の詳細な説明】
【０００１】
【発明の属する技術分野】
本発明は、パチンコ機等の遊技機に関する。
【０００２】
【従来の技術】
従来、遊技機の代表例としてはパチンコ機がある。このパチンコ機は、始動口に球が入賞したことに起因して、図柄変動表示装置（可変表示装置）としての液晶表示装置の表示画面上に表示された所定列の図柄を変動表示させ、その変動表示が停止した結果が所定の表示態様となった場合に大当り状態となるものがある。また、この可変表示装置の表示画面の周囲を囲むようにして樹脂製のセンターフレームが設けられている。
【０００３】
このセンターフレームは、上部に位置する天井部、左右両側部及び下部とからなっており、天井部には、遊技球を左右側方へ案内するための天導面が設けられているとともに、遊技球を下部へ案内するための入口部が設けられている。また、下部には、ステージが形成されている。さらに、左右両側部には、前記入口部とステージとを連通する遊技球通路（ワープルートとも称される）が設けられている。
【０００４】
そして、遊技球が前記入口に入った場合、該遊技球は前記遊技球通路を通ってステージの方へと案内される。ステージに案内された遊技球は左右往復動を数回した後、やがてステージから前方へ落下し、再度遊技盤面上へと排出される。このとき、ステージから落下した遊技球のうち、何個かに１個はステージの直下方に設けられた作動口へと入賞する。つまり、遊技者は、遊技球が入口部に入ってからステージから落下して作動口の方へと導かれるまでの間、遊技球が作動口に入賞するのではという期待感をもって、遊技球の挙動を見守ることとなる。このような従来例のパチンコ機として、例えば、特開２００１−３８０１０号公報に記載されたものが挙げられる。
【０００５】
【発明が解決しようとする課題】
しかしながら、このような構成を有する従来例の場合には、次のような問題がある。
すなわち、従来のパチンコ機では、前記ステージにおいては、幅方向の中央部分が最も低い位置にあるのが一般的であり、遊技球は通常この中央部分又はその近傍から手前側に落下するようになっていた。このため、ステージに案内されてから落下するまでの間、どの遊技球も単純な経路で排出されるため似たような挙動を示し、ひいては遊技者に退屈感を抱かせてしまうおそれがある。その結果、興趣の低下を招いてしまうおそれがあるという問題がある。
【０００６】
本発明は、このような事情に鑑みてなされたものであって、遊技者の興味を引く興趣性に優れた遊技機を提供することを目的とする。
【０００７】
【課題を解決するための手段】
本発明は、このような目的を達成するために、次のような構成を採る。
すなわち、請求項１に記載の発明は、遊技球が転動可能である転動面を備えた遊技機において、前記転動面は複数個設けられており、かつ、前記複数個の転動面のうちの少なくとも一つの転動面は、導入された遊技球の流下経路を選択する選択手段を有することを特徴とするものである。
【０００８】
（作用・効果）請求項１に記載の発明によれば、遊技球が転動可能である転動面を備えた遊技機において、転動面は複数個設けられており、かつ、複数個の転動面のうちの少なくとも一つの転動面は、導入された遊技球の流下経路を選択する選択手段を有しているので、複数個の転動面により遊技球は複数種類の流下経路のいずれかを選択し得る。つまり、複数個の転動面により複雑で複数種類の流下経路を創ることができ、この複雑で複数種類の流下経路のうちの一つを任意に選択することができる。したがって、遊技者は、複数個の転動面により複数種類の流下経路のいずれか１つが選択されて流下されるという遊技球の挙動を視認でき、楽しむことができる。その結果、興趣性を向上させた遊技機を提供できる。
【０００９】
なお、本明細書は、次のような遊技機に係る発明も開示している。
【００１０】
（１）  請求項１に記載の遊技機において、
前記複数個の転動面は、上下方向に並設されていることを特徴とする遊技機。
【００１１】
前記（１）に記載の発明によれば、複数個の転動面は上下方向に並設されているので、上下方向に並設された複数個の転動面により遊技球は複数種類の流下経路のいずれかを選択し得る。つまり、上位の転動面での遊技球の転動等の挙動を視認でき、この上位の転動面からその選択手段を介して下位の転動面に遊技球が移行し、さらにこの下位の転動面での遊技球の転動等の挙動を視認できることから、遊技球の立体的な挙動を視認することができ、非常に面白味のある遊技球の挙動となる。したがって、遊技者は、上下方向に並べられた複数個の転動面により複数種類の流下経路のいずれか１つが選択されて流下されるという遊技球の立体的な挙動を視認でき、楽しむことができる。その結果、興趣性を向上させた遊技機を提供できる。
【００１２】
（２）  前記（１）に記載の遊技機において、
前記複数個の転動面は、導入された遊技球の流下経路を選択する選択手段を有する第１転動面と、前記第１転動面から遊技球が導かれるとともに、前記第１転動面から導かれてきた遊技球の流下経路を選択する選択手段を有する第２転動面とを含むものであることを特徴とする遊技機。
【００１３】
前記（２）に記載の発明によれば、複数個の転動面として、導入された遊技球の流下経路を選択する選択手段を有する第１転動面と、この第１転動面から遊技球が導かれるとともに、第１転動面から導かれてきた遊技球の流下経路を選択する選択手段を有する第２転動面とを備えているので、遊技者は、第１，第２転動面により複数種類の流下経路のいずれか１つが選択されて流下されるという遊技球の挙動を視認でき、楽しむことができる。その結果、興趣性を向上させた遊技機を提供できる。
【００１４】
（３）  前記（２）に記載の遊技機において、
前記第２転動面は、前記第１転動面よりも小さくなっていることを特徴とする遊技機。
【００１５】
前記（３）に記載の発明によれば、第２転動面は、第１転動面よりも小さくなっているので、遊技球が第１転動面から第２転動面に進行するに従って、遊技球の排出方向範囲は狭くなっており、第２転動面の排出部から所望の方向に遊技球が排出されるのではないかという期待感も第１転動面から第２転動面への遊技球の進行に連れて高まっていくことから、さらにワクワク感を持って遊技を楽しむことができる。その結果、興趣性をさらに向上させた遊技機を提供できる。
【００１６】
（４）  前記（２）または（３）に記載の遊技機において、
前記第１転動面は、遊技球が転動する転動領域と、遊技球の流下経路を選択する選択領域とが形成されていることを特徴とする遊技機。
【００１７】
前記（４）に記載の発明によれば、第１転動面は、遊技球が転動する転動領域と、遊技球の流下経路を選択する選択領域とが形成されているので、遊技球が転動領域にて転動され、その後にこの遊技球が選択領域に入りこの選択領域で自己の流下経路が選択されるという一連の遊技球の挙動を遊技者は視認することができ、楽しむことができる。その結果、興趣性を向上させた遊技機を提供できる。
【００１８】
（５）  前記（４）に記載の遊技機において、
前記転動領域は、導入されてきた遊技球を主として特定方向に転動させるための、遊技球１個分程度の幅を有する主転動領域を備えていることを特徴とする遊技機。
【００１９】
前記（５）に記載の発明によれば、転動領域は、導入されてきた遊技球を主として特定方向に転動させるための、遊技球１個分程度の幅を有する主転動領域を備えているので、同時に同一方向に並走する遊技球を生じさせることがなく、同一方向に並走する遊技球同士が衝突して相互に転動を邪魔することよって生じる遊技球の主転動領域での長時間滞留を低減できる。したがって、遊技者は、主転動領域で長時間滞留することなく適宜に転動される遊技球を視認でき、楽しむことができる。
【００２０】
（６）  前記（２）から（５）のいずれかに記載の遊技機において、
前記第１転動面に導かれた遊技球は、全て前記第１転動面の前記選択手段を介して前記第２転動面に導かれることを特徴とする遊技機。
【００２１】
前記（６）に記載の発明によれば、第１転動面に導かれた遊技球は、全て第１転動面の選択手段を介して第２転動面に導かれるので、一旦第１転動面に流入された遊技球が第２転動面に導かれることなく第２転動面以外に導かれることを防止できる。したがって、第１転動面の選択手段による遊技球の流下経路の選択を無駄にすることがない、つまり、第２転動面の選択手段による遊技球の流下経路の選択権を喪失しないので、遊技者は、第１転動面に流入された遊技球の流下経路の選択を安心して楽しむことができる。
【００２２】
（７）  前記（２）から（６）のいずれかに記載の遊技機において、
前記第１転動面は、主として幅方向に遊技球が転動するよう流入され、前記転動領域の少なくとも一部が、前記幅方向と直交する奥行き方向の一方側に傾斜した傾斜面を有するとともに、前記選択領域が前記傾斜面の下端部と連接されているものであることを特徴とする遊技機。
【００２３】
前記（７）に記載の発明によれば、第１転動面は、主として幅方向に遊技球が転動するよう流入され、転動領域の少なくとも一部が、幅方向と直交する奥行き方向の一方側に傾斜した傾斜面を有するとともに、選択領域が傾斜面の下端部と連接されているものであるので、第１転動面に流入してきた遊技球を傾斜面によって選択領域に幅方向と奥行き（前後）方向とを合成した方向に転動させて導くことができる。
【００２４】
（８）  前記（３）から（７）のいずれかに記載の遊技機において、
前記選択手段は、遊技球が流入可能な開口部を前記選択領域に複数個備えたものであることを特徴とする遊技機。
【００２５】
前記（８）に記載の発明によれば、選択手段は、遊技球が流入可能な開口部を選択領域に複数個備えたものであるとしているので、この選択領域の複数個の開口部のいずれに遊技球が流入されるかによって遊技球の流下経路が選択され、遊技者はこれを視認でき、楽しむことができる。
【００２６】
（９）  前記（８）に記載の遊技機において、
前記複数個の開口部は、その大きさが異なるものを含むことを特徴とする遊技機。
【００２７】
前記（９）に記載の発明によれば、複数個の開口部は、その大きさが異なるものを含むとしているので、一方の開口部に比べて他方の開口部の大きさが小さくなっていて、一方の開口部に比べて他方の開口部の方が遊技球を入り難くすることができ、複数個の開口部への遊技球の流入容易性に変化をつけることができ、遊技者はこれを視認でき、他と比べて流入し難い開口部に遊技球が入ることを期待感を持って見守り楽しむことができる。
【００２８】
（１０）  前記（８）または（９）に記載の遊技機において、
前記複数個の開口部の中には、遊技者にとって有利である開口部としての第１開口部と、それよりも利益の劣る開口部としての第２開口部とを備えていることを特徴とする遊技機。
【００２９】
前記（１０）に記載の発明によれば、複数個の開口部の中には、遊技者にとって有利である開口部としての第１開口部と、それよりも利益の劣る開口部としての第２開口部とを備えているので、遊技者は有利な第１開口部に遊技球が流入することを期待し、はらはらどきどきしながら遊技球の第１，第２開口部への流入を視認でき、楽しむことができる。
【００３０】
（１１）  前記（８）から（１０）のいずれかに記載の遊技機において、
前記複数個の開口部は長穴形状であることを特徴とする遊技機。
【００３１】
前記（１１）に記載の発明によれば、複数個の開口部は長穴形状であるとしているので、簡易な構成で容易に遊技球を開口部に流入させることができる。なお、本明細書中で言う「開口部の長穴形状」には、長円形、楕円形、矩形、略矩形などの形状を含む。
【００３２】
（１２）  前記（１１）に記載の遊技機において、
前記第１開口部は、その長手方向が遊技球の転動方向に対して垂直あるいは略垂直に設けられていることを特徴とする遊技機。
【００３３】
前記（１２）に記載の発明によれば、第１開口部は、その長手方向が遊技球の転動方向に対して垂直あるいは略垂直に設けられているので、第１開口部に遊技球を入り難くすることができ、第１開口部への遊技球の流入価値を高めることができる。したがって、遊技者は、第１転動面での遊技球の挙動を視認する際に、第１開口部に遊技球が流入すること、つまり、遊技者にとって有利である状態を得たいという期待感を持って見守ることができ、楽しむことができる。
【００３４】
（１３）  前記（１１）に記載の遊技機において、
前記第２開口部は、その長手方向が遊技球の転動方向に対して平行あるいは略平行に設けられていることを特徴とする遊技機。
【００３５】
前記（１３）に記載の発明によれば、第２開口部は、その長手方向が遊技球の転動方向に対して平行あるいは略平行に設けられているので、第２開口部に遊技球を入り易くすることができ、第２開口部への流入を容易とすることによって結果として第１開口部への遊技球の流入価値を高めることができる。したがって、遊技者は、第１転動面での遊技球の挙動を視認する際に、第１開口部に遊技球が流入すること、つまり、遊技者にとって有利である状態を得たいという期待感を持って見守ることができ、楽しむことができる。
【００３６】
（１４）  前記（８）から（１３）のいずれかに記載の遊技機において、
前記第１開口部は、その周囲の一部に遊技球の流入を阻止する突起部が設けられていることを特徴とする遊技機。
【００３７】
前記（１４）に記載の発明によれば、第１開口部は、その周囲の一部に遊技球の流入を阻止する突起部が設けられているので、この突起部によって第１開口部への遊技球の流入が阻止される場合があり、第１開口部に遊技球を入り難くすることができ、第１開口部への遊技球の流入価値を高めることができる。したがって、遊技者は、第１転動面での遊技球の挙動を視認する際に、第１開口部に遊技球が流入すること、つまり、遊技者にとって有利である状態を得たいという期待感を持って見守ることができ、楽しむことができる。
【００３８】
（１５）  前記（１）から（１４）のいずれかに記載の遊技機において、
前記第２転動面の前記選択手段は、遊技球の流下経路を決定する溝部を備えていることを特徴とする遊技機。
【００３９】
前記（１５）に記載の発明によれば、第２転動面は、遊技球の流下経路を決定する溝部を設けているので、第１転動面から導かれた遊技球が溝部に乗ると、この溝部に案内されて遊技球が第２転動面から外部に特定の方向に送出される、つまり、この溝部に基づく遊技球の流下経路が決定される。
【００４０】
（１６）  前記（１５）に記載の遊技機において、
前記第２転動面の前記溝部は、前記第１転動面の前記第１開口部の真下位置に設けられ、
前記第１転動面の前記第１開口部は、この第１開口部に流入した遊技球を前記第２転動面の奥方向に送出するための案内部材が設けられ、
前記第２転動面は、前記溝部の奥側端部に奥方向に窪む窪み部を備えていることを特徴とする遊技機。
【００４１】
前記（１６）に記載の発明によれば、第２転動面の溝部は、第１転動面の第１開口部の真下位置に設けられ、第１転動面の第１開口部は、この第１開口部に流入した遊技球を第２転動面の奥方向に送出するための案内部材が設けられ、第２転動面は、溝部の奥側端部に奥方向に窪む窪み部を備えているので、第１転動面の第１開口部から流下された遊技球を確実に第２転動面の溝部上に乗せることができる。したがって、遊技球が第２転動面の溝部から外部に特定の方向に送出させることができる。
【００４２】
（１７）  前記（１）から（１６）のいずれかに記載の遊技機において、
前記第２転動面は、手前側が低くなるように傾斜した傾斜面を備えていることを特徴とする遊技機。
【００４３】
前記（１７）に記載の発明によれば、第２転動面は、手前側が低くなるように傾斜した傾斜面を備えているので、第２転動面に流入してきた遊技球をこの傾斜面によって手前側に転動させて導くことができる。
【００４４】
（１８）  前記（１７）に記載の遊技機において、
前記第１転動面の前記第２開口部は、この第２開口部に流入した遊技球を前記第２転動面の奥方向に送出するための案内部材が設けられていることを特徴とする遊技機。
【００４５】
前記（１８）に記載の発明によれば、第１転動面の第２開口部は、この第２開口部に流入した遊技球を第２転動面の奥方向に送出するための案内部材が設けられているので、第１転動面の第２開口部からの遊技球が第２転動面の奥側に送出された後に手前側に転動するという遊技球の挙動を実現できる。
【００４６】
（１９）請求項１に記載の遊技機、または、前記（１）から（１８）のいずれかに記載の遊技機において、
前記遊技機はパチンコ機であることを特徴とする遊技機。
【００４７】
前記（１９）に記載の遊技機によれば、複数個の転動面により複数種類の流下経路のいずれか１つが選択されて遊技球が流下されるという遊技球の挙動を視認でき、楽しむことができ、遊技者の興味を引く興趣性に優れたパチンコ機を提供できる。なお、パチンコ機の基本構成としては操作ハンドルを備え、その操作ハンドルの操作に応じて遊技用媒体としての遊技球を所定の遊技領域発射し、遊技球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００４８】
（２０）請求項１に記載の遊技機、または、前記（１）から（１８）のいずれかに記載の遊技機において、
前記遊技機はパチンコ機とスロットマシンとを融合させたものであることを特徴とする遊技機。
【００４９】
前記（２０）に記載の遊技機によれば、複数個の転動面により複数種類の流下経路のいずれか１つが選択されて遊技球が流下されるという遊技球の挙動を視認でき、楽しむことができ、遊技者の興味を引く興趣性に優れた、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として遊技球を使用するとともに、前記識別情報の動的表示の開始に際しては所定数の遊技球を必要とし、特別遊技状態の発生に際しては多くの遊技球が払い出されるように構成されている遊技機」となる。
【００５０】
【発明の実施の形態】
以下、図面を参照して本発明の実施例を説明する。
本実施例では、遊技機の一例として弾球遊技機の一種であるパチンコ機、特に、第１種パチンコ遊技機を用いて説明する。なお、本発明を第３種パチンコ遊技機（権利物とも呼ばれる）等の他の遊技機に用いることは、当然に可能である。
【００５１】
図１は、実施例のパチンコ機の概略正面図であり、図２はパチンコ機の遊技盤の概略正面図である。本実施例のパチンコ機Ｐは、図１に示すように、遊技盤１と、球を貯留する上受け皿２および下受け皿３と、球を遊技盤１へ発射するための発射ハンドル４とを備えている。遊技盤１は、前面枠１ａに嵌め込まれたガラス製の透明板１ｂに覆われている。
【００５２】
図２に示すように、パチンコ機Ｐの遊技盤１には、作動口５及び大入賞口６が設けられており、遊技盤１は遊技領域を構成している。作動口５は、遊技球Ｂの通路を備えており、その通路入口には羽根７が開閉可能に支持されている。
【００５３】
また、大入賞口６の前には、シャッタ８が設けられている。このシャッタ８は、大入賞口６の側部に設けられた図示しない大入賞口用ソレノイドにより作動させられ、大入賞口６を開閉する。詳しくは、当該ソレノイドが励磁状態となることにより、シャッタ８が略水平に傾き、これにより大入賞口６が開かれる。また、ソレノイドが非励磁状態となることにより、シャッタ８が略垂直状態となり、これにより大入賞口６は閉鎖される。
【００５４】
遊技盤１の中央部分（大入賞口６の上方）には、可変表示装置としての特別図柄表示装置（以下、単に「表示装置」という）９が組込まれている。表示装置９は、液晶ディスプレイ（ＬＣＤ）よりなる表示部９ａを備えており、ここに複数の（例えば３つの）図柄列が表示される。図柄列は、基本的には、複数種類の図柄によって構成されている。これらの図柄は、特別遊技図柄としての大当たり図柄、外れリーチ図柄及び外れ図柄のいずれかになりうる。
【００５５】
表示装置９の表示部９ａでは、各図柄列の図柄変動（回転変動）が、遊技球Ｂの作動口５への入賞に基づいて開始させられる。また、大当たり図柄、外れリーチ図柄、外れ図柄の中から１つが選択され、これが停止図柄として設定される。停止図柄とは、各図柄列が図柄変動を停止したときに表示される図柄である。
【００５６】
大当たり図柄は、いわゆるリーチ状態を経た後、遊技者に有利な大当たり状態を発生させるための図柄である。詳しくは、全ての図柄列の変動が停止させられたとき、表示されている図柄の組合せが、予め定められた大当たりの組合せ、すなわち、同一種類の図柄が大当たりラインに沿って並んでいるときの同図柄の組合せ（例えば、「７」、「７」、「７」の図柄）となる場合がある。この組合せを構成する図柄が「大当たり図柄」である。大当たりの組合せが成立すると、特別電動役物が作動し（大入賞口６が開かれ）、遊技者にとって有利な大当たり状態の到来、すなわち、より多くの賞球を獲得することが可能となる。
【００５７】
表示装置９において、表示部９ａの上方には、発光ダイオード（ＬＥＤ）からなる保留ランプ１０ａ，１０ｂ，１０ｃ，１０ｄが組み込まれている。保留ランプ１０ａ〜１０ｄは、基本的には作動口５への入賞に基づく変動表示の保留毎に点灯させられ、その保留に対応した変動表示の実行に伴い消灯させられる。さらに、パチンコ機Ｐには、遊技の進行に応じて効果音を発生する図示しないスピーカが設けられている。
【００５８】
このほかにも、パチンコ機Ｐの複数箇所には、遊技効果を高めるための各種ランプが取り付けられている。これらのランプは、例えばランプ風車１１、上部ランプ飾り１２（図１参照）、下部ランプ飾り１３等からなり、遊技の進行に応じて点灯状態（消灯、点灯、点滅等）が適宜変えられるようになっている。なお、上部ランプ飾り１２には、遊技者に球切れ状態や入賞状態を報知すべく、球切れランプ及び入賞ランプなどが内蔵されている。
【００５９】
本実施例のパチンコ機Ｐでは、遊技者の操作に応じて変化するパチンコ機Ｐの遊技状態を検出するべく、遊技盤１には、種々の検出スイッチが取り付けられている。これら検出スイッチにより、遊技球Ｂの作動口５への入賞や、大入賞口６への入賞が検出されるようになっている。また、本実施の形態では、各検出スイッチの検出結果に基づきソレノイドや、表示装置９、各保留ランプ１０ａ〜１０ｄ、各種ランプ１１〜１３、スピーカ等をそれぞれ駆動制御するために制御装置が設けられている。制御装置は、読み出し専用メモリ（ＲＯＭ）、中央処理装置（ＣＰＵ）、ランダムアクセスメモリ（ＲＡＭ）等を備えている。ＲＯＭは所定の制御プログラムや初期データを予め記憶しており、ＣＰＵはＲＯＭの制御プログラム等に従って各種演算処理を実行する。
【００６０】
ここで、本発明の特徴部分の１つである構成について、図３〜図７を用いて以下に説明する。図３は、実施例のパチンコ機のセンターフレームの概略斜視図であり、図４はセンターフレームの概略正面図であり、図５はセンターフレームの概略上面図であり、図６はセンターフレームの概略側面図であり、図７は図４に示したセンターフレームのＡ−Ａ線断面図である。
【００６１】
図２に示すように、上述した表示装置９は、表示部９ａの前方において、この表示部９ａを囲むようにして設けられたセンターフレーム２１を有している。図３，図５，図６に示すように、このセンターフレーム２１は、特別遊技領域を構成しており、後部において表示装置９が取り付けられるようになっている。図３，図４に示すように、センターフレーム２１は、天井部２３、左右両側の側部２４及び下部２５を有している。
【００６２】
まず、天井部２３について説明する。図３に示すように、天井部２３の中央部には透明な天飾り２６が設けられ、その天飾り２６の後部（奥側）には遊技球Ｂが案内されうる入口部２７が２つ左右方向に並べて設けられている。天井部２３の入口部２７以外の箇所に当たった遊技球Ｂは、この天井部２３により左右両側方へと案内されるようになっている。
【００６３】
続いて、下部２５について説明する。下部２５の上面は、第１ステージ２９となっており、天井部２３の入口部２７に入力された遊技球Ｂが後述する遊技球通路３１を通ってこの第１ステージ２９上に供給されるようになっている。また、この第１ステージ２９の下方位置には、第２ステージ３０が設けられていて、第１ステージ２９からの遊技球Ｂが第２ステージ３０に供給されるようになっている。つまり、この第１，第２ステージ２９，３０は、上下方向に二段に並設されている。なお、第１，第２ステージ２９，３０は、これらのステージにおける遊技球Ｂの挙動が遊技者により視認できるようになっている。
【００６４】
さらに、左右両側の側部２４について説明する。天井部２３から左右両側の側部２４にかけて、入口部２７及び第１ステージ２９間を連通する遊技球通路３１が形成されている。この遊技球通路３１は、天井部２３に設けられた第１遊技球通路３２と、側部２４に設けられて、第１遊技球通路３２からの遊技球Ｂが入力されて第１ステージ２９上に出力する第２遊技球通路３３とを備えている。第１遊技球通路３２は、遊技者が通過中の遊技球Ｂを視認できるよう透明部材で覆われるようにして構成されている。第２遊技球通路３３は、遊技者が通過中の遊技球Ｂを視認困難となるようカバーで覆われるようにして構成されている。従って、入口部２７に入った遊技球Ｂは、図３，図７に破線で示すように、第１遊技球通路３２を通り（このとき、遊技球Ｂの視認が可能となっている）、そして第２遊技球通路３３を通って（このとき、一時的に遊技球Ｂの視認が困難となる）、第１ステージ２９上へと案内される。なお、図３では、センターフレーム２１の左側の遊技球通路３１（第１遊技球通路３２と第２遊技球通路３３とからなる）での遊技球Ｂの通過経路を破線で示しているが、センターフレーム２１の右側の遊技球通路３１での遊技球Ｂの通過経路についても同様となっているため破線での図示を省略している。なお、表示装置９の両側には飾りレンズ２８が設けられている。
【００６５】
なお、図５に示すように、一点鎖線示すラインが遊技盤１の盤面であることから、センターフレーム２１のうちで図５の一点鎖線より下側の部分が遊技盤１の盤面から突出している部分である。同様に、図６に示すように、一点鎖線示すラインが遊技盤１の盤面であることから、センターフレーム２１のうちで図６の一点鎖線より左側の部分が遊技盤１の盤面から突出している部分である。
【００６６】
ここで、上述したセンターフレーム２１の下部２５の第１，第２ステージ２９，３０について、図８〜図１１を用いて詳細に説明する。図８は、実施例のセンターフレームの第１ステージの概略斜視図である。図９（ａ）は、第１ステージの概略上面図であり、図９（ｂ）は、第１ステージの概略正面図であり、図９（ｃ）は、第１ステージの概略側面図である。図１０は、実施例のセンターフレームの第２ステージの概略斜視図である。図１１（ａ）は、第２ステージの概略上面図であり、図１１（ｂ）は、第２ステージの概略正面図であり、図１１（ｃ）は、第２ステージの概略側面図である。
【００６７】
図３，図７に示すように、センターフレーム２１の下部２５は、この下部２５の上面に相当する第１ステージ２９と、この第１ステージ２９の下方位置に並設された第２ステージ３０とを有している。天井部２３の入口部２７に入力されて遊技球通路３１を通ってきた遊技球Ｂは、図３，図７に矢印で示すように、第１ステージ２９に供給される。
【００６８】
図８に示すように、第１ステージ２９は、遊技球Ｂが転動する転動領域３４と、遊技球Ｂの流下経路を選択する選択領域３５とが形成されている。転動領域３４は、導入されてきた遊技球Ｂを主として特定方向（横方向）に転動させるための、遊技球Ｂの１個分程度の幅を有する主転動領域３６を備えている。第１ステージ２９の選択領域３５には、遊技球Ｂが流入可能で、導入された遊技球Ｂの流下経路を選択する開口部を複数個（本実施例では３個）備えている。これらの３個の開口部は、遊技者にとって有利である開口部としての第１開口部３７を１つと、それよりも利益の劣る開口部としての第２開口部３８を２つとからなる。
【００６９】
第１開口部３７と第２開口部３８とは大きさの異なる長穴形状としたものであり、第１開口部３７よりも第２開口部３８の方が大きくなっている。第１開口部３７は、その長手方向が遊技球の転動方向に対して垂直（あるいは略垂直であってもよい）に設けられている。第２開口部３８は、その長手方向が遊技球の転動方向に対して平行（あるいは略平行であってもよい）に設けられている。
【００７０】
第１ステージ２９は、主として幅方向に遊技球Ｂが転動するよう流入され、この第１ステージ２９の転動領域３４の少なくとも一部が、幅方向と直交する奥行き方向で手前側が低くなるように傾斜した傾斜面４０を有するとともに、選択領域３５が傾斜面４０の下端部と連接されているものとなっている。
【００７１】
第１開口部３７は、その周囲の一部に遊技球Ｂの流入を阻止するリブ４１が設けられている。図９（ａ）に示すように、第１開口部３７は、流入してきた遊技球Ｂを第２ステージ３０の奥方向に送出するための第１案内部材４２が設けられている。また、図８，図９（ａ）に示すように、第１開口部３７の周囲のうちでリブ４１を除く箇所には、遊技球Ｂを第１開口部３７に導くために、転動領域３４の傾斜面４０から第１開口部３７に傾斜する傾斜案内部４０ａが設けられている。転動領域３４を揺動してきた遊技球Ｂが傾斜案内部４０ａに来ると、その遊技球Ｂはこの傾斜案内部４０ａの傾斜により第１開口部３７に流入するように導かれる場合が多い。
【００７２】
図９（ａ）に示すように、第２開口部３８は、流入してきた遊技球Ｂを第２ステージ３０の奥方向に送出するための、奥側に突出した第２案内部材４３が設けられている。
【００７３】
また、図３，図８に示すように、第１ステージ２９の手前側の両サイドには、隔壁部４４が設けられており、第１ステージ２９に導入された遊技球Ｂが第１，第２開口部３７，３８に流入することなく直接に遊技盤１に出ていくことを防止している。つまり、遊技球Ｂが転動領域３４の隔壁部４４を乗り越えて遊技盤１に飛び出していかないようになっている。したがって、第１ステージ２９に導かれた遊技球Ｂは、全て第１ステージ２９の第１，第２開口部３７，３８を介して第２ステージ３０に導かれるようになっている。
【００７４】
続いて、第１ステージ２９の下方位置にある第２ステージ３０について説明する。図１１（ｂ）に示すように、第２ステージ３０は、横方向にて連続的に高さが異なっており、具体的には、そのほぼ中央部は山状の凸部５０となっており、その左右両側は凸部５０よりも低い凹部５１となっている。さらに、この凸部５０および凹部５１からなる面は、図１１（ｃ）に示すように、手前側ほど低い傾斜面５３となっている。
【００７５】
一方、凸部５０の頂部には、図１０，図１１に示すように、遊技球Ｂの流下経路を決定する案内溝５４が形成されている。図３，図４に示すように、この案内溝５４は、第１ステージ２９の第１開口部３７の真下位置に設けられている。図１０，図１１に示すように、第２ステージ３０の案内溝５４は、第１溝幅で手前側に位置する第１案内溝５５と、この第１溝幅よりも広い第２溝幅（例えば、遊技球Ｂの直径程度の幅）で奥側に位置する第２案内溝５６とを奥行き方向に連結して形成されている。この第２案内溝５６に沿ってリブ５７が形成されている。このリブ５７により、第２案内溝５６に乗っている遊技球Ｂが横方向から外れていかないように規制されていて、さらに、第１案内溝５５に沿ってこの第１案内溝５５の方向に安定して遊技盤１に再び送出されるようになっている。
【００７６】
なお、第１ステージ２９の第１開口部３７よりも第２開口部３８の方に多くの遊技球Ｂが流入する点と、第２ステージ３０の凹部５１が凸部５０よりも低くなっている点と、第２ステージ３０の案内溝５４よりも凹部５１の方が幅広になっている点などの要素から、多くの遊技球Ｂがこの第２ステージ３０の凹部５１から前方（手前側）へ導出されて再度遊技盤１に送出されるようになっている。
【００７７】
さらに、図７に示すように、この第２ステージ３０の案内溝５４の奥側には、奥側に窪む横穴部５８が形成されている。第２案内溝５６の奥側の先端部分は、この横穴部５８に入り込んでいる。第２ステージ３０の案内溝５４の奥側に横穴部５８を設けることで、第１ステージ２９の第１開口部３７を通過した遊技球Ｂが第２ステージ３０の案内溝５４から手前側に円滑に排出されるようになっている。つまり、第１開口部３７を通過する遊技球Ｂは、この第１開口部３７の案内部材によって第２ステージの奥側の横穴部５８に向けて送出され、一旦この横穴部５８の内部に案内され、今度は逆に横穴部５８から手前側に送出されるよう案内溝５４にそって導出される。
【００７８】
図２に示すように、第２ステージの案内溝５４は、作動口５の直上方に設けられており、この案内溝５４から再度遊技盤１に排出された遊技球Ｂは比較的高い確率で作動口５に入賞しやすく構成されている。
【００７９】
また、遊技盤１には多数の釘が植設されているが、センターフレーム２１の第１，第２ステージ２９，３０とこれに近い位置等の釘との距離が大きく、しかもその釘よりも上方位置に第１，第２ステージ２９，３０が位置しているので、これら釘に当たった一部の遊技球Ｂが、上述の遊技球通路３１を通らずに、ジャンプして第１，第２ステージ２９，３０へと導かれる場合はない。
【００８０】
なお、上述した第１ステージ２９が本発明における転動面および第１転動面に相当し、上述した第２ステージ３０が本発明における転動面および第２転動面に相当し、上述した第１ステージ２９の開口部（第１，第２開口部３７，３８）が本発明における選択手段に相当し、第２ステージ３０の案内溝５４，凹部５１が本発明における選択手段に相当し、上述したリブ４１が本発明における第１開口部の突起部に相当し、上述した案内溝５４が本発明における溝部に相当し、上述した横穴部５８が本発明における窪み部に相当する。
【００８１】
ここで、本実施例のパチンコ機Ｐの遊技盤１での遊技球Ｂの挙動、特に、センターフレーム２１内での遊技球Ｂの挙動について説明する。
【００８２】
図１に示すように、遊技者の発射ハンドル４の操作により、遊技球Ｂが遊技盤１の上部に打ち込まれる。そして、遊技盤１の上部に打ち込まれた遊技球Ｂは、図３に示すように、入口部２７からセンターフレーム２１内へと案内される場合がある。この入口部２７から案内された遊技球Ｂは、遊技球通路３１を通って第１ステージ２９の主転動領域３６へと案内される。遊技球は、第１ステージ２９の主転動領域３６で揺動するように転動（左右に往復動）し、その後この第１ステージ２９の傾斜面４０によって選択領域３５に転動し、選択領域３５の第１，第２開口部３７，３８のいずれかが選択されて流入する。このように第１，第２開口部３７，３８によって遊技球Ｂの流下経路が選択されて、第１ステージ２９の下方位置の第２ステージ３０にそれぞれの流下経路に従って遊技球Ｂが送出される。
【００８３】
なお、第１開口部３７の周囲のリブ４１により、遊技球Ｂの第１開口部３７への流入が阻止される場合がある。また、第１開口部３７のリブ４１は第２開口部３８への案内部材ともなっているため、第２開口部３８により多くの遊技球Ｂが流入するようになっている。遊技者は、上述したように遊技球Ｂの第１ステージ２９での挙動を視認し、楽しむことができる。
【００８４】
ここで、遊技球Ｂが第１ステージ２９の第１開口部３７に流入した場合と、遊技球Ｂが第１ステージ２９の第２開口部３８に流入した場合とについて、個別に説明する。
【００８５】
例えば、遊技球Ｂが第１ステージ２９の第１開口部３７に流入した場合には、この第１開口部３７の第１案内部材４２により、遊技球Ｂが第２ステージ３０の奥側の横穴部５８に向けて送出される。第２ステージ３０の奥側の横穴部５８に送出された遊技球Ｂは、今度は逆に横穴部５８から手前側に案内溝５４にそって再度遊技盤１に導出される。第２ステージの案内溝５４は、作動口５の直上方に設けられているため、この案内溝５４から再度遊技盤１に排出された遊技球Ｂは比較的高い確率で作動口５に入賞するようになっている（図２参照）。遊技者は、上述したように第１ステージ２９に続いて第２ステージ３０の案内溝５４で案内される遊技球Ｂの挙動を視認し、大いなる利益感を持って楽しむことができる。
【００８６】
例えば、遊技球Ｂが第１ステージ２９の第２開口部３８に流入した場合には、この第２開口部３８の第２案内部材４３により、遊技球Ｂが第２ステージ３０の凹部５１上で奥側に向けて送出される。第２ステージ３０の凹部５１上で奥側に向けて送出された遊技球Ｂは、この凹部５１上を今度は逆に奥側から手前側に転動しつつ横方向に揺動しながらこのセンターフレーム２１の第２ステージ３０の凹部５１から再度遊技盤１に導出される。つまり、流下方向が決定されて導出されるのである。第２ステージの凹部５１は、作動口５の直上方から横方向（左右方向）にずれた位置に設けられているため、この凹部５１から再度遊技盤１に排出された遊技球Ｂは作動口５に入賞しにくくなっている（図２参照）。
【００８７】
なお、第１ステージ２９の第２開口部３８に流入した場合であっても、この第２開口部３８に流入した遊技球Ｂが第２ステージ３０の曲面状の側壁５９に案内されて第２ステージ３０の案内溝５４上に乗ったり、あるいは行き過ぎて他方の凹部５１まで到達してしまったりする場合もある。また、凹部５１から排出された遊技球Ｂは、遊技盤１の釘に衝突することなどで比較的低い確率ではあるが作動口５に入賞する場合もある。遊技者は、上述したように第１ステージ２９に続いて第２ステージ３０の凹部５１で案内される遊技球Ｂの挙動を視認し、僅かに残された期待感を持って楽しむことができる。
【００８８】
上述したように本実施例のパチンコ機Ｐによれば、遊技球Ｂが転動可能である第１，第２ステージ２９，３０を備え、この第１，第２ステージ２９，３０は、導入された遊技球Ｂの流下経路を選択する選択手段を有する（第１ステージ２９では第１，第２開口部３７，３８を、第２ステージ３０では案内溝５４，凹部５１を備えている）ので、第１，第２ステージ２９，３０により遊技球Ｂは複数種類の流下経路のいずれかを選択し得る。したがって、遊技者は、第１，第２ステージ２９，３０により複数種類の流下経路のいずれか１つが選択されて流下されるという遊技球Ｂの挙動を視認でき、楽しむことができる。その結果、興趣性を向上させたパチンコ機を提供できる。
【００８９】
本実施例では、第２ステージ３０の案内溝５４に対応して第１ステージ２９の第１開口部３７が設けられており、遊技球Ｂが第１ステージ２９の第１開口部３７に流入する場合がある。また、第１ステージ２９の第２開口部３８に流入した遊技球Ｂが第２ステージ３０の案内溝５４に乗る場合もある。このため、遊技球Ｂが第１開口部３７に流入する場合や、遊技球Ｂが第２開口部３８に流入して第２ステージ３０の案内溝５４に乗る場合には、遊技者は、自身にとって何らかの好ましいことが起こるのではないかと期待感をもって遊技を行いうる。従って、いずれの場合にもほぼ同様の挙動によって単にステージから遊技球が落下するに過ぎなかった従来技術に比べて、遊技者は、遊技球Ｂが第１ステージ２９の第１開口部３７を通過する、あるいは第２ステージ３０の案内溝５４の乗ることを期待しつつ、はらはらどきどきしながら遊技を行うことができる。その結果、遊技球Ｂが似通った挙動を示すことによる退屈感を抑制することができ、興趣の飛躍的な向上を図ることができる。
【００９０】
また、第１，第２ステージ２９，３０は上下方向に並設されているので、上下方向に並設された第１，第２ステージ２９，３０により遊技球Ｂは複数種類の流下経路のいずれかを選択し得る。したがって、遊技者は、上下方向に並べられた第１，第２ステージ２９，３０により複数種類の流下経路のいずれか１つが選択されて流下されるという遊技球の挙動を、立体的な遊技感覚を受けながら視認でき、より一層の興趣の向上を図ることができる。
【００９１】
また、第１ステージ２９は、遊技球Ｂが転動する転動領域３４と、遊技球Ｂの流下経路を選択する選択領域３５とが形成されているので、遊技球Ｂが転動領域３４にて転動され、その後にこの遊技球Ｂが選択領域３５に入りこの選択領域３５で自己の流下経路が選択されるという一連の遊技球Ｂの挙動を遊技者は視認することができ、楽しむことができる。その結果、興趣性を向上させた遊技機を提供できる。
【００９２】
また、転動領域３４は、導入されてきた遊技球Ｂを主として特定方向（横方向）に転動させるための、遊技球Ｂの１個分程度の幅を有する主転動領域３６を備えているので、同時に同一方向に並走する遊技球Ｂを生じさせることがなく、同一方向に並走する遊技球同士が衝突して相互に転動を邪魔することよって生じる遊技球Ｂの主転動領域３６での長時間滞留を低減できる。したがって、遊技者は、主転動領域３６で長時間滞留することなく適宜に転動される遊技球Ｂを視認でき、楽しむことができる。
【００９３】
また、第１ステージ２９に導かれた遊技球Ｂは、全て第１ステージ２９の第１，第２開口部３７，３８を介して第２ステージ３０に導かれるので、一旦第１ステージ２９に流入された遊技球Ｂが第２ステージ３０に導かれることなく第２ステージ３０以外に導かれることを防止できる。したがって、第１ステージ２９の第１，第２開口部３７，３８による遊技球Ｂの流下経路の選択を無駄にすることがない、つまり、第２ステージ３０の選択手段（案内溝５４，凹部５１）による遊技球Ｂの流下経路決定についての選択権を喪失しないので、遊技者は、第１ステージ２９に流入された遊技球Ｂの流下経路の選択を安心して楽しむことができる。
【００９４】
また、第１ステージ２９は、主として幅方向に遊技球Ｂが転動するよう流入され、転動領域３４の少なくとも一部が、幅方向と直交する奥行き方向の一方側に傾斜（例えば、手前側が低くなるように傾斜）した傾斜面４０を有するとともに、選択領域３５が傾斜面４０の下端部と連接されているものであるので、第１ステージ２９に流入してきた遊技球Ｂを傾斜面４０によって選択領域３５に幅方向と奥行き（前後）方向とを合成した方向に転動させて導くことができる。
【００９５】
また、遊技球Ｂが流入可能な開口部（第１，第２開口部３７，３８）を選択領域３５に複数個備えているので、この選択領域３５の複数個の開口部（第１，第２開口部３７，３８）のいずれに遊技球Ｂが流入されるかによって遊技球Ｂの流下経路が選択され、遊技者はこれを視認でき、楽しむことができる。
【００９６】
また、第１，第２開口部３７，３８は、その大きさが異なっている。例えば、第２開口部３８に比べて第１開口部３７の大きさが小さくなっていて、第２開口部３８に比べて第１開口部３７の方が遊技球Ｂを入り難くすることができ、第１，第２開口部３７，３８への遊技球の流入容易性に変化をつけることができ、遊技者はこれを視認でき、他と比べて流入し難い第１開口部３７に遊技球Ｂが入ることを期待感を持って見守り楽しむことができる。
【００９７】
また、遊技者にとって有利である第１開口部３７と、それよりも利益の劣る第２開口部３８とを備えているので、遊技者は有利な第１開口部３７に遊技球が流入することを期待し、はらはらどきどきしながら遊技球の第１，第２開口部３７，３８への流入を視認でき、楽しむことができる。
【００９８】
また、第１，第２開口部３７，３８は長穴形状であるとしているので、簡易な構成で容易に遊技球Ｂを第１，第２開口部３７，３８に流入させることができる。
【００９９】
また、第１開口部３７は、その長手方向が遊技球Ｂの転動方向に対して垂直あるいは略垂直に設けられているので、第１開口部３７に遊技球を入り難くすることができ、第１開口部３７への遊技球Ｂの流入価値を高めることができる。したがって、遊技者は、第１ステージ２９での遊技球Ｂの挙動を視認する際に、第１開口部３７に遊技球が流入すること、つまり、遊技者にとって有利である状態を得たいという期待感を持って見守ることができ、楽しむことができる。
【０１００】
また、第２開口部３８は、その長手方向が遊技球Ｂの転動方向に対して平行あるいは略平行に設けられているので、第２開口部３８に遊技球Ｂを入り易くすることができ、第２開口部３８への流入を容易とすることによって結果として第１開口部３７への遊技球Ｂの流入価値を高めることができる。したがって、遊技者は、第１ステージ２９での遊技球Ｂの挙動を視認する際に、第１開口部３７に遊技球Ｂが流入すること、つまり、遊技者にとって有利である状態を得たいという期待感を持って見守ることができ、楽しむことができる。
【０１０１】
また、第１開口部３７は、その周囲の一部に遊技球Ｂの流入を阻止するリブ４１が設けられているので、このリブ４１によって第１開口部３７への遊技球Ｂの流入が阻止される場合があり、第１開口部３７に遊技球Ｂを入り難くすることができ、第１開口部３７への遊技球Ｂの流入価値を高めることができる。したがって、遊技者は、第１ステージ２９での遊技球Ｂの挙動を視認する際に、第１開口部３７に遊技球Ｂが流入すること、つまり、遊技者にとって有利である状態を得たいという期待感を持って見守ることができ、さらに面白味が増す。
【０１０２】
また、第２ステージ３０は、遊技球Ｂの流下経路を決定する案内溝５４を設けているので、第１ステージ２９から導かれた遊技球Ｂが案内溝５４に乗ると、この案内溝５４に案内されて遊技球Ｂが第２ステージ３０から外部に特定の方向に送出される、つまり、この案内溝５４に基づく遊技球Ｂの流下経路が決定される。
【０１０３】
また、第２ステージ３０の案内溝５４は、第１ステージ２９の第１開口部３７の真下位置に設けられ、第１ステージ２９の第１開口部３７は、この第１開口部３７に流入した遊技球Ｂを第２ステージ３０の奥方向に送出するための第１案内部材４２が設けられ、第２ステージ３０は、案内溝５４の奥側端部に奥方向に窪む横穴部５８を備えているので、第１ステージの第１開口部３７から流下された遊技球Ｂを確実に第２ステージ３０の案内溝５４上に乗せることができる。したがって、遊技球Ｂが第２ステージ３０の案内溝５４から外部に特定の方向に送出させることができる。
【０１０４】
また、第２ステージ３０は、手前側が低くなるように傾斜した傾斜面５３を備えているので、第２ステージ３０に流入してきた遊技球Ｂをこの傾斜面５３によって手前側に転動させて導くことができる。
【０１０５】
また、第１ステージ２９の第２開口部３８は、この第２開口部３８に流入した遊技球Ｂを第２ステージ３０の奥方向に送出するための第２案内部材４３が設けられているので、第１ステージ２９の第２開口部３８からの遊技球Ｂが第２ステージ３０の奥側に送出された後に手前側に転動するという遊技球Ｂの挙動を実現できる。
【０１０６】
本発明は、上記実施形態に限られることはなく、下記のように変形実施することができる。
【０１０７】
（１）上述の実施例では、遊技盤１に用いられる一部品としてのセンターフレーム２１に複数個のステージ（第１，第２ステージ２９，３０）を設けているが、遊技盤１に用いられるその他の部品や、遊技盤１自体に直接に設けるようにしてもよい。
【０１０８】
（２）上述の実施例では、複数個のステージ（第１，第２ステージ２９，３０）を上下方向に並設しているが、複数個のステージを横方向に設けるようにしてもよい。
【０１０９】
（３）上述した実施例では、２個のステージ（第１，第２ステージ２９，３０）を備えているが、３個以上のステージを備えるようにしてもよい。例えば、Ｎ個のステージのうちで、選択手段（第１，第２開口部３７，３８や凹部５１，案内溝５４）を備えたステージ（第１，第２ステージ２９，３０）をｎ個と、このような選択手段を有さないステージをｍ個とで構成する（Ｎ＝ｎ＋ｍ）ようにしてもよい。
【０１１０】
（４）本発明を上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１１１】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【０１１２】
【発明の効果】
以上の説明から明らかなように、本発明によれば、遊技球が転動可能である転動面を備えた遊技機において、転動面は複数個設けられており、かつ、複数個の転動面は、導入された遊技球の流下経路を選択する選択手段を有するので、複数個の転動面により遊技球は複数種類の流下経路のいずれかを選択し得る。したがって、遊技者は、複数個の転動面により複数種類の流下経路のいずれか１つが選択されて流下されるという遊技球の挙動を視認でき、楽しむことができる。その結果、興趣性を向上させた遊技機を提供できる。
【図面の簡単な説明】
【図１】本発明の実施例のパチンコ機の概略正面図である。
【図２】パチンコ機の遊技盤の概略正面図である。
【図３】実施例のパチンコ機のセンターフレームの概略斜視図である。
【図４】センターフレームの概略正面図である。
【図５】センターフレームの概略上面図である。
【図６】センターフレームの概略側面図である。
【図７】図４に示したセンターフレームのＡ−Ａ線断面図である。
【図８】実施例のセンターフレームの第１ステージの概略斜視図である。
【図９】（ａ）は第１ステージの概略上面図であり、（ｂ）はその概略正面図であり、（ｃ）はその概略側面図である。
【図１０】実施例のセンターフレームの第２ステージの概略斜視図である。
【図１１】（ａ）は第２ステージの概略上面図であり、（ｂ）はその概略正面図であり、（ｃ）はその概略側面図である。
【符号の説明】
１  …  遊技盤
２９  …  第１ステージ（転動面，第１転動面）
３０  …  第２ステージ（転動面，第２転動面）
３４  …  転動領域
３５  …  選択領域
３６  …  主転動領域
３７  …  第１開口部（選択手段）
３８  …  第２開口部（選択手段）
４０  …  傾斜面
４１  …  リブ（突起部）
４２  …  第１案内部材
４３  …  第２案内部材
５１  …  凹部（選択手段）
５３  …  傾斜面
５４  …  案内溝（選択手段，溝部）
５８  …  横穴部（窪み部）
【図１】
2004160145.tif 000003
【図２】
2004160145.tif 000004
【図３】
2004160145.tif 000005
【図４】
2004160145.tif 000006
【図５】
2004160145.tif 000007
【図６】
2004160145.tif 000008
【図７】
2004160145.tif 000009
【図８】
2004160145.tif 000010
【図９】
2004160145.tif 000011
【図１０】
2004160145.tif 000012
【図１１】
2004160145.tif 000013